(57)【特許請求の範囲】
【請求項１】
端末と、インターネットを介在させてネットワーク接続されたサーバーからなり、サーバーには、情報とその情報の所在地符号とその情報の名称とを関連付けて識別番号を付したレコードを集成した情報データベースと、この情報データベースから抽出した自己と他の識別番号を登録した仮想データベースを自己の識別番号毎に備え、前記端末から自己の識別番号の前記仮想データベースを読み出す際には、前記サーバーが自己と他の識別番号に応じたレコードを前記情報データベース中から読み出して出力し、また、前記端末から自己の識別番号の仮想データベースを読み出して該自己の識別番号のレコードの内容を変更した際には、前記サーバーが自己の識別番号の仮想データベース中の該自己の識別番号に関連付けられたレコードの内容の変更を確認して、変更があった際に前記情報データベース中の自己の識別番号に応じたレコードの内容を変更することを特徴とする仮想データベースシステム。
【請求項２】
サーバーは、情報データベースのレコード中に変更や更新があった日時や、具体的な数量の条件を登録し、端末使用者により仮想データベースが読み出されたときに、当該レコード中に情報と共に前記日時や条件を抽出して出力するものであることを特徴とする請求項１に記載の仮想データベースシステム。
【請求項３】
サーバーは、情報データベースのレコード中に変更や更新があったことを、仮想データベース中に抽出され出力された他のレコードと表示を異ならせて表示させるものであることを特徴とする請求項１又は２に記載の仮想データベースシステム。
【請求項４】
サーバーは、情報データベースのレコード中に変更や更新があったことを、電子メールにて知らせるものであることを特徴とする請求項１乃至３のいずれかに記載の仮想データベースシステム。
【請求項５】
電子メールには、予め返信又は応答用の操作入力フォームが添付されていることを特徴とする請求項４に記載の仮想データベースシステム。
【請求項６】
サーバーは、該サーバーに記憶した仮想データベースの所有者を識別符号によって照合するものであることを特徴とする請求項１乃至５のいずれかに記載の仮想データベースシステム。
【請求項７】
端末は、必要に応じて読み出した仮想データベースを、該端末にて稼働するプログラムによって利用することができるものであることを特徴とする請求項１乃至６のいずれかに記載の仮想データベースシステム。
【発明の詳細な説明】
【０００１】
本発明は、端末使用者に報告したり操作を要することなく、情報供給者による情報の所在地符号の変更や内容の更新が反映され、しかも端末使用者は、自分のよく使用する端末以外であっても、自分のよく使用する端末と同様に情報を出力することができる仮想データベースシステムに関するものである。
【０００２】
【従来の技術】
近年では、例えばインターネットなどに代表されるように、サーバー上に例えばインターネットサイトのような各種の情報を記憶しておいて、これらのサーバーに例えばパーソナルコンピュータを接続し、所望の情報をサーバーから入手することができるようになっている。
【０００３】
上記した技術は、同様の設定や統一規格に変換する技術を採用することで、パーソナルコンピュータ以外の機器からも容易に実現できるようになってきており、代表的にはインターネット接続可能な携帯電話の画面を用いてインターネットサイトの内容を表示させたり、あるいは、携帯電話のキー操作によって各種ボタン入力や文字入力を可能としている。
【０００４】
このように、インターネット技術を使用する裾野が広がっていることが反映されて、インターネットサイトでは、各種のサービスが提供されるようになっている。最も多く、かつ容易に用いられているサービスは、いわゆる検索サービスであり、この検索サービスは、検索サービスにインターネットサイトを運営者が登録する際に、インターネットサイトの運営者が検索サービス業者に契約料を支払い、検索者には無料で検索させる。
【０００５】
このようにすることで、サーバーにインターネットサイトを記憶している者は、自分のインターネットサイトの宣伝にもなり、検索者は、必要な情報を検索して容易に入手することができる。また、インターネットにおいてよく行われている手法としては、自分のよく接続するインターネットサイトのアドレスを例えば自分のインターネットサイトに登録し、これを「相互リンク」と称して、他のインターネットサイトのアドレスを登録し、他のインターネットサイトに自分のインターネットサイトのアドレスを登録してもらうことで、互いに宣伝するものである。
【０００６】
なお、上記した自分のよく接続するインターネットサイトを登録するといった行為そのものは、上記したように自分のインターネットサイトに相互リンクするといった手法をとらなくても、自分のよく使用するパーソナルコンピュータ上に登録しておくことでも可能である。
【０００７】
【発明が解決しようとする課題】
ところで、インターネットにおいては、サーバーにインターネットサイトを記憶した者は、その目的として、個人的には自分の意見や主義主張及び自ら得た情報を発することに使用する場合が多く、また、商業的には最新の情報をインターネットサイトに示して宣伝効果を高める場合が多い。一方、インターネットサイトに接続する者は、自分の入手すべき情報が存在することはもちろんであるが、最も新しい情報を得るために接続することが多い。
【０００８】
上記した点を考慮すると、インターネットで提供されているサービスには、以下の不具合を有している。例えば、自分のよく接続するサイトを登録する点で、従来は、自分のよく使用するパーソナルコンピュータ上に登録しているため、他のパーソナルコンピュータを使用する場合は、利用することができないといった不具合があった。
【０００９】
もちろんフロッピーディスクなどに記憶させて持ち歩く場合は別であるが、容易に持ち運ぶことができるノートタイプのパーソナルコンピュータやモバイル仕様のパーソナルコンピュータにおいて、外出先で、フロッピーディスクドライブを標準的に装備しているものは極めて希で、大抵は別体で外付け仕様とされているので、仮にフロッピーディスクに記憶させて持ち歩いたとしても役に立たないことの方が圧倒的に多い。
【００１０】
従って、インターネットサイトに自分のよく接続するインターネットサイトのアドレスを登録していれば、インターネット接続が可能なパーソナルコンピュータであれば、自分のよく使用するパーソナルコンピュータでなく他のパーソナルコンピュータで、同様に使用可能となる。
【００１１】
上記の場合、まず、例えばインターネットサイトは基本的に公開を目的としているので、第三者に公開したくない情報やインターネットサイトのアドレスを登録させている場合には、サーバー又はインターネットサイトでユーザー識別名とパスワード等を設定しておく必要が生じる。ユーザー識別名とパスワード等を設定しておいて、これらの照合が正しい場合にインターネットサイトを公開する技術そのものは、現状では何ら特別なことではない。
【００１２】
上記で問題となるのは、インターネットサイトに登録したよく使用するインターネットサイトのアドレスが変更された場合に、逐一自分の手でインターネットサイトのアドレスを変更し直す必要がある点である。すなわち、インターネットサイトの運営者は、旧アドレスのインターネットサイトに、変更先のアドレスを一定期間だけ告知表示することがあるが、こうした場合では、変更されたインターネットサイトのアドレスを自分で知って、自分で変更しなければならないといった手間が生じる。
【００１３】
さらには、インターネットサイトのアドレスが変更されたことを一定期間だけ旧アドレスのインターネットサイトに告知したにも拘わらず、その間に接続することなく、告知し終わった際に接続し、インターネットサイトのアドレスが変更されたのか、あるいはインターネットサイト自体が消滅してしまったのかもわからない状態が生じる。こうした場合は、インターネットサイトを利用する者の不都合ばかりでなく、当該インターネットサイトの運営者にとっても公開による広告効果が薄れてしまうというデメリットが生じる。
【００１４】
さて、以上の不具合は、インターネットにパーソナルコンピュータ以外の機器が接続されていることを考えると同様の現象が生じる。すなわち、例えばインターネット接続可能な携帯電話では、上記したようにインターネットサイトのアドレスが変更された場合には、現行では携帯電話にインターネット接続サービスを提供している業者が変更するが、この業者に登録してないインターネットサイトの方が圧倒的に多い点を考えると、基本的には携帯電話の使用者側で自分の携帯電話に登録したインターネットサイトのアドレスを登録させ直す必要が生じる。
【００１５】
また、インターネットサイトのアドレス変更を知らない場合は、当該インターネットサイトが消滅したのかインターネットサイトのアドレスが変更したのか分からず、その上、変更したインターネットサイトのアドレスさえも分からないといったように、上記したパーソナルコンピュータと同様の状況が生じる。
【００１６】
また、インターネットサイトのアドレスの登録に関する不具合としては、携帯電話において登録された電話番号がインターネットサイトのアドレスに相当する点で類似し、従って、携帯電話では、携帯電話固有の類似した不具合が生じている。
【００１７】
すなわち、自分の携帯電話に登録した複数の他の電話番号は、使用者が頭で記憶していたりメモに書き留めてある場合は別であるが、自分の携帯電話でしか利用することができず、公衆電話や他の（携帯）電話を用いて電話をかけようとしても、自分の携帯電話に登録している電話番号が思い出せない場合がある。
【００１８】
また、電話番号を変更したときは、友人知人に電話番号を変更した旨を報告しなければならないといった手間がかかり、一方、電話番号を変更した旨の報告を受けた側では、電話番号の変更作業を自分の（携帯）電話において逐一行わなければならないといった手間が生じている。
【００１９】
ましてや、携帯電話を買い換えたりしたときには、特別な記憶装置を持っている場合は別であるが、大抵の場合は、新規の携帯電話に、今まで使用していた携帯電話に登録していた電話番号を入力し直さなければならないといった手間が生じ、昨今の携帯電話の買い換えの早さを考えると、まず新しい携帯電話の操作を覚える手間が加わり、こうした作業は非常に煩わしいものである。
【００２０】
本発明は、上記の問題を解決するものであり、端末使用者に報告したり操作を要することなく、情報供給者が行った情報の所在地符号の変更や内容の更新が反映され、しかも端末使用者は、自分のよく使用する端末以外であっても、自分のよく使用する端末と同様に情報を出力することができる仮想データベースシステムを提供することを目的とする。
【００２１】
【課題を解決するための手段】
上記の目的を達成するために、本発明は、端末使用者によって他の識別番号と共に自己の識別番号に応じたレコードを登録した自己の仮想データベースをサーバーの情報データベースから読み出し、該仮想データベースに集成された自己の識別番号のレコードについて端末使用者（自己）が端末において変更し、サーバーが自己の識別番号の仮想データベース中の該自己の識別番号に関連付けられたレコードの内容の変更を確認して、変更があった際に情報データベース中の自己の識別番号に応じたレコードの内容を変更するようにしたのである。
【００２２】
このようにすることで、情報供給者がサーバーに記憶された情報データベースのレコードにおける情報の所在地符号の変更や内容の更新を行ったとき、端末使用者は、仮想データベースを読み出す以外の特別な操作を伴うことなく、所在地符号の変更や内容の更新が反映された最新の状態を知ることができ、また、自分のよく使用する端末以外であっても、仮想データベースを読み出すことで自分のよく利用する端末と同様に使用することができる。一方、情報供給者は、情報の所在地符号の変更を端末使用者に逐一報告しなくてもよく、しかも内容を更新したときには確実に端末使用者に知らせることができる。
【００２３】
【発明の実施の形態】
本発明の仮想データベースシステムは、端末と、インターネットを介在させてネットワーク接続されたサーバーからなり、サーバーには、情報とその情報の所在地符号とその情報の名称とを関連付けて識別番号を付したレコードを集成した情報データベースと、この情報データベースから抽出した自己と他の識別番号を登録した仮想データベースを自己の識別番号毎に備え、前記端末から自己の識別番号の前記仮想データベースを読み出す際には、前記サーバーが自己と他の識別番号に応じたレコードを前記情報データベース中から読み出して出力し、また、前記端末から自己の識別番号の仮想データベースを読み出して該自己の識別番号のレコードの内容を変更した際には、前記サーバーが自己の識別番号の仮想データベース中の該自己の識別番号に関連付けられたレコードの内容の変更を確認して、変更があった際に前記情報データベース中の自己の識別番号に応じたレコードの内容を変更するものである。
【００２４】
本発明において、各々の用語は以下を意味する。
「端末」とは、例えばパーソナルコンピュータ、インターネット接続が可能な（携帯）電話（以下、単に「電話」と記す）、などを意味する。
「端末使用者」とは、例えばパーソナルコンピュータの使用者、電話の使用者、の少なくとも一方であって、サーバーに仮想データベースを記憶させ、必要に応じて該仮想データベースを読み出す者を意味する。
【００２５】
「情報」とは、例えばインターネットサイトでは、インターネットサイトに示される内容そのもの、電話では、その電話番号の持ち主の個人情報、などを意味する。
「所在地符号」とは、例えばインターネットサイトではアドレス、電話では電話番号、などを意味する。
「名称」とは、例えばインターネットサイトではサイト名、電話では電話番号の持ち主の名前、などを意味する。
【００２６】
「仮想データベース」とは、サーバーに記憶したインターネットサイトと同種であって、インターネットサイトでは、少なくともインターネットサイトのアドレス（所在地符号）とそのサイト名（名称）を関連付けたレコードを、電話では、少なくとも電話番号や住所（所在地符号）とその電話番号の持ち主（名称）を関連付けたレコードを、集成してなるものを意味する。
【００２７】
「情報供給者」とは、基本的には、インターネットサイトの運営者を意味するが、本発明では、端末使用者がサーバーに記憶させた仮想データベースにおけるレコードを増加又は削除するなどの変更を加えるときにのみ、端末使用者を情報供給者にみなすこととする。
【００２８】
すなわち、端末使用者は、上記したようにパーソナルコンピュータや電話を使用するときは使用者であるが、端末使用者がサーバーに記憶している仮想データベースの内容に変更を加えるときには情報供給者と同じ立場になるからである。
【００２９】
「情報データベース」とは、インターネットサイトでは、少なくともインターネットサイトの内容そのもの（情報）とそのインターネットサイトのアドレス（所在地符号）とそのサイト名（名称）を関連付けたレコードを、電話では、少なくとも個人情報（情報）と電話番号（所在地符号）とその電話番号の持ち主の名前（名称）を関連付けたレコードを、集成したものを意味する。
【００３０】
以上の用語の定義のうえで、本発明の仮想データベースシステムは、具体的には、次のように構成され、動作する。
例えば、ここでは、パーソナルコンピュータを端末とし、インターネットサイトの内容を情報とし、そのアドレスを所在地符号とし、サイト名を名称とし、インターネットサイトの運営者を情報供給者として説明すると以下のようになる。
【００３１】
すなわち、パーソナルコンピュータの使用者は、自分がよく利用するインターネットサイトのアドレスとその名称を関連付けたレコードを集成した仮想データベースをサーバーに記憶させる。
【００３２】
一方、インターネットサイトの運営者は、例えばインターネットサイトのアドレスを変更する作業を行う。このとき、サーバーでは、該サーバーに記憶された当該インターネットサイトについてアドレスを変更する。
【００３３】
続いて、端末使用者から仮想データベースを読み出したときに、該仮想データベースに登録されているレコードを情報データベース中から抽出して出力する。
【００３４】
このようにすることで、情報供給者が情報データベース中の例えばインターネットサイトのアドレスを変更したり、インターネットサイトの内容を更新したときには、端末使用者は、仮想データベースを読み出すだけで、こうした変更や更新作業を行うことなく、最新の状態で情報を出力することができ、また、端末使は、仮想データベースを読み出して通常のようにインターネットサイトの名称を選択して操作することで確実に目的とするインターネットサイトに接続することができる。
【００３５】
また、端末使用者は、仮想データベースを読み出すことで、自分のよく使用するパーソナルコンピュータ以外のパーソナルコンピュータを使用する場合であっても、自分のよく使用するパーソナルコンピュータと同様に使用することができる。
【００３６】
また、本発明の仮想データベースシステムは、もう一つの具体例として、次のように構成され、動作する。
例えば、ここでは、インターネット接続が可能な（携帯）電話を端末とし、例えばインターネットサイトのアドレス及び電話番号を所在地符号とし、インターネットサイトの運営者及び仮想データベースをサーバーに記憶した者を情報供給者として説明すると、以下のようになる。
【００３７】
すなわち、電話の使用者は、自分がよく使用するインターネットサイトのアドレスとその名称、及び自分がよく電話をする電話番号とその名前を、それぞれ関連付けたレコードを集成した仮想データベースをサーバーに記憶する。
【００３８】
インターネットサイトのアドレスの変更の場合は、上記したパーソナルコンピュータの例と同様であるので、省略する。そして、本例では、電話を買い換えて電話番号の変更があったときの動作について説明する。仮想データベースをサーバーに記憶させた者であって電話を買い換えた者（このときは情報供給者）は、仮想データベースを読み出して自分のレコード中において電話番号を変更し、情報データベースにレコードを戻す。
【００３９】
そして、サーバーは、端末使用者が、仮想データベースを読み出したときに、該仮想データベース中に電話を買い換えた者のレコードが存在するときは、情報データベースから当該電話を買い換えた者のレコードを抽出し出力する。
【００４０】
本例では、上記したインターネットサイトにおける作用効果と共に、電話を買い換えた者は、情報供給者として、情報データベース中のレコード中の電話番号を変更するだけで、このレコードを仮想データベースに登録した他の端末使用者に対しては、逐一電話番号を変更したことを知らせる必要がなくなり、また、電話を買い換えた者は、仮想データベースに接続して該仮想データベースを読み出せば、買い換えた携帯電話に、今まで使っていた友人知人の電話番号を登録する必要もない。
【００４１】
また、本例では、自分の電話ではなく、人の電話を借りて自分のよくかける電話番号に電話しようとする際に、借りた電話がインターネット接続可能な電話であれば、自分の仮想データベースを読み出して電話することが可能となる。
【００４２】
このように、本発明は、情報データベースから仮想データベースのレコードを抽出して出力するので、仮想データベースによく使用するレコードを登録している場合は、端末使用者が自分の端末での変更や更新作業を行なわなくても仮想データベースを読み出すだけで最新の状態で使用することができる。
【００４３】
また、本発明は、上記構成において、サーバーは、情報データベースのレコード中に変更や更新があった日時や、具体的な数量の条件を登録し、端末使用者により仮想データベースが読み出されたときに、情報と共に前記日時や条件を抽出して出力するものである。
【００４４】
上記において、「情報データベースのレコード中に変更や更新があった」とは、既に上述したように、情報供給者が、情報データベースのレコードにおいて、所在地符号の変更を行ったり、名称を変更したり、情報の内容を更新したり、する作業を行ったことを意味する。
【００４５】
「日時」とは、年月日と曜日と時間を意味し、「具体的な数量の条件」とは、例えばこの情報は「３ヶ月有効」だとか、「あと３０人で〆切」といった条件を意味する。
【００４６】
上記構成では、端末使用者が読み出す仮想データベースのレコードの項目として日時や条件を表示させる。そして、このようにすることで、端末使用者は、仮想データベースを読み出したときに、自分の登録している仮想データベース中のレコードにおいて、情報データベースのレコード中に変更や更新があったこと、及び変更や更新の内容の条件、を確実に把握することができ、従って、例えば急いで応答しなければならない情報や、連絡しておいた方がよい友人知人など、を選択することが可能となる。
【００４７】
また、本発明は、上記したいずれかの構成において、サーバーは、情報データベースのレコード中に変更や更新があったことを、仮想データベース中に抽出され出力された他のレコードと表示を異ならせて表示させたり、電子メールにて知らせるものである。
【００４８】
このように、情報データベースのレコード中に変更や更新があったことを、仮想データベース中の他のレコードと表示を異ならせて表示することで、端末使用者が仮想データベースを読み出したときに、確実にその旨知らせることができ、時々刻々の情報を確実に把握することができる。
【００４９】
また、情報データベースのレコード中に変更や更新があったことを、電子メールにて知らせるときには、上記作用効果に加えて変更や更新の内容や情報そのものを付加して端末使用者に知らせることができ、より的確に端末使用者に情報を知らせることができる。
【００５０】
また、本発明は、情報データベースのレコード中に変更や更新があったことを、電子メールにて知らせるときにおいて、その電子メールに、予め返信又は応答用の操作入力フォームが添付されているものである。
【００５１】
上記において、電子メールは、送受信用のアプリケーションや端末によって送受信可能なフォームが限定されるという現状の問題があるが、そういう本願とは別の問題は今後の技術開発で打破できると想定するとして、現状では、電子メールのフォームは、いわゆるハイパーテキストによって記述することで、情報の内容や告知内容に加えて返信又は応答の操作用の例えばボタン（あるいはマクロやスクリプト）でなる返信用の電子メールを添付（埋め込み）させることが可能となる。
【００５２】
このようにすることで、こうした情報データベースのレコード中に変更や更新があった旨を知らせる電子メールを受け取った端末使用者は、その電子メールに添付された返信又は応答用の操作入力フォームによって、すぐさま返信したり応答したりすることができるので、返信や応答メールを端末送信者が作成する手間も時間も省くことができる。
【００５３】
また、本発明は、上記したいずれかの構成において、サーバーは、端末使用者が該サーバーに記憶した仮想データベースの所有者であることを識別符号によって照合するようにすれば、所有者以外の第三者に自分の仮想データベースが利用されることがなく、個人的な情報等が漏洩することがなくなる。
【００５４】
また、本発明は、上記したいずれかの構成において、端末は、必要に応じて読み出した仮想データベースを、該端末にて稼働するプログラムによって利用することができるようにすれば、例えば端末としてパーソナルコンピュータで、仮想データベースに登録した友人知人に年賀状を送るときは、仮想データベースを読み出して、該仮想データベースのレコードの内容を年賀状作成アプリケーションに反映させることができる。
【００５５】
【実施例】
以下に、本発明の仮想データベースシステムの実施例について図面を参照して説明する。図１は、本発明の仮想データベースシステムの概略構成図である。図２は、本発明の仮想データベースシステムにおける仮想データベース及び情報データベースの概念を示す。図３及び図４は、本発明の仮想データベースシステムにおける処理手順を示す。
【００５６】
以下の説明では、端末として、インターネット接続が可能な電話、例えば携帯電話を例にして説明する。なお、本発明における端末としてパーソナルコンピュータを採用した場合は、画面表示が大きく、表示色が豊富であることから視認性に優れるのであるが、それ以外には、もちろん物理的に操作性に違いが生じるものの、本発明の要旨における差異はない。
【００５７】
本発明の仮想データベースシステムは、図１において、複数の携帯電話（代表して本実施例では代表して携帯電話Ａ〜Ｃで説明する）が、パケット通信網１Ａ及びインターネット接続手段１Ｂを具備したサービス機関１に、通話とインターネット接続が可能な状態で電波によって接続されている。
【００５８】
もちろん携帯電話Ａ〜Ｃには、自分の電話番号を所在地符号としてそれぞれ有しており、携帯電話Ａから携帯電話Ｂへ電話をかけるときには、通常のように携帯電話Ａに携帯電話Ｂの電話番号が登録してあるときは、携帯電話Ａにおける携帯電話Ｂの電話番号を読み出して携帯電話Ｂへ電話をかける。
【００５９】
一方、いわゆるインターネット２は、物理的な実体は存在しないが、概念的には、サーバー３に無数のインターネットサイト３ａを記憶した状態で存在している。インターネットサイト３ａは、その内容そのものは、情報データベース３Ａのレコードの情報の項目に相当する。インターネットサイト３ａは、後に図２を参照して詳述するが、情報データベース３Ａのレコードにおいて、レコード番号、サイト名である名称、所在地符号であるアドレス、などが関連付けられて登録されている。
【００６０】
また、インターネット２におけるサーバー３には、携帯電話Ａ〜Ｃのそれぞれの仮想データベースＶＤＢ１〜ＶＤＢ３が各々記憶されている。なお、サーバー３に記憶された仮想データベースを総称するときは、仮想データベースＶＤＢと記すこととする。この仮想データベースＶＤＢは、インターネットサイト３ａと同種であり、いま、例えば携帯電話Ａの仮想データベースＶＤＢ１を代表して図２を参照して説明すると、概念的に次のように構成されている。
【００６１】
仮想データベースＶＤＢは、本実施例では、電話番号のリストと、インターネットサイトのアドレスリストと、後述するメール受信登録リストとが１行を１レコードとして表示されるようになっており、１レコードには、識別番号と、変更又は更新の有無と、識別名と、変更又は更新のあった日時と、内容や条件、その他図示していないが、詳細情報を見るための操作ボタンなどでなる。
【００６２】
仮想データベースＶＤＢにおける識別番号は、情報データベース３Ａに登録されたものと同じ識別番号が付されている。仮想データベースＶＤＢ１は、携帯電話Ａに読み出されるときに、この識別番号に基づいて情報データベース３Ａから当該識別番号のレコードを抽出して出力するのである。
【００６３】
仮想データベースＶＤＢのレコードにおいて、そのうちの１つは、自分自身に関するレコードであり、例えば携帯電話を買い換えて電話番号が変わったなどの変更や住所が変わったなどの更新がある場合には、仮想データベースＶＤＢを読み出し、任意の情報に接続する操作とは別の操作によって（このときは情報供給者となる）、情報データベース３Ａ上のレコードを変更又は更新する。
【００６４】
変更又は更新の有無は、情報データベース３Ａにおいて何らかの変更又は更新があったことを知らせるための項目である。本実施例では、図２に示す状態で、識別番号Ｕ０００１と、Ｕ０００３と、Ｓ０００４と、Ｓ０００５に「＊」印が付されて他のレコードとは異なる表示とされると共に、後述する内容／条件項目にその変更や更新の概要が表示されるようになっている。つまり、情報データベース３Ａのレコードが変更又は更新されると、これらの識別番号を登録している仮想データベースＶＤＢ１にもその旨表示されるのである。
【００６５】
識別名は、上記したように、仮想データベースＶＤＢの出力が識別番号に基づいて行われているから、仮想データベースＶＤＢの所有者が識別できる任意の名称を付すようになっている。日時は、例えば上記した情報データベース３Ａのレコードに対して変更又は更新があったときの日時（曜日など）を表示する項目である。内容／条件は、変更や更新があったときに、その概要を表示する項目であり、上記したように変更又は更新の有無の項目と連動するようになっている。
【００６６】
一方、情報データベース３Ａは、横１行を１レコードとして全情報を登録しているものであり、例えば、識別番号と、変更又は更新の有無と、登録用の正式名称と、所在地符号と、情報などの項目が登録される。
【００６７】
ここで、本発明の情報データベース３Ａと仮想データベースＶＤＢとにおける実際の運用について説明しつつ、上記した情報データベース３Ａのレコードの項目について説明する。
【００６８】
いま、初めて本発明のシステムを採用する、つまりは仮想データベースＶＤＢを開設しようとする端末使用者は、情報データベース３Ａへの端末使用者自身の登録が義務付けられる。なお、開設する仮想データベースＶＤＢが複数であるときには、情報データベース３Ａへの登録は１回でもよいし、端末使用者自身の登録内容を会社と個人とで異ならせる場合は、複数でもよい。
【００６９】
そして、このときに、情報データベース３Ａに登録したレコード毎に、識別番号が付されると共に、本実施例では仮想データベースＶＤＢを第三者に使用されないようにするための、ユーザー識別番号（以下、ＩＤと記す）とパスワードとが仮想データベースＶＤＢ毎に設定される。
【００７０】
そして、情報データベース３Ａには、いま登録した端末使用者の識別番号のレコードに、登録正式名称と、所在地符号である電話番号と、その他情報として住所、電子メールアドレス、などの個人情報とを登録する。これによって情報データベース３Ａでは、レコードが増加したこととなり、仮想データベースＶＤＢの所有者が増えたこととなる。
【００７１】
一方、インターネットサイト３ａの運用者（情報供給者）も同様で、本発明のシステムを採用してサーバー３にインターネットサイト３ａを開設しようとする情報供給者は、仮想データベースＶＤＢを少なくとも１つ開設することと、情報データベース３Ａへの情報供給者自身の登録が義務付けられる。なお、仮想データベースＶＤＢは、情報供給者として開設する場合と、端末使用者として開設する場合とで複数開設される場合もあり、また、まとめて１つでよいとする場合もあるので、仮想データベースＶＤＢは少なくとも１つ開設することを義務付けるようにしている。
【００７２】
このときに、情報データベース３Ａに登録したレコード毎に識別番号が付されると共に、本実施例では仮想データベースＶＤＢが第三者に使用されないようにするための、ＩＤとパスワードとを開設した仮想データベースＶＤＢ毎に設定する。
【００７３】
そして、情報データベース３Ａには、いま登録した情報供給者の識別番号のレコードに、インターネットサイト３ａの登録正式名称と、所在地符号であるインターネットサイト３ａのアドレスと、その他情報として、インターネットサイト３ａの内容そのもの、情報供給者の住所や電話番号、及び電子メールアドレス、会社概要などの各種の情報とを登録する。これによって情報データベース３Ａでは、レコードが増加したこととなり、仮想データベースＶＤＢの所有者が増えたこととなる。
【００７４】
従って、仮想データベースＶＤＢを開設したときには、情報データベース３Ａへ登録され、かつ情報データベース３Ａへの接続が許容されたこととなる。仮想データベースＶＤＢへのレコードの追加及び削除は、端末に仮想データベースＶＤＢを読み出し、図示しないが、端末上の操作によって、各リストへ情報データベース３Ａに登録している端末使用者及び情報供給者の識別番号を入力し、サーバー３へ仮想データベースＶＤＢを記憶し直すことで行われる。
【００７５】
また、情報供給者から情報の所在地符号の変更や内容の更新があったことを電子メールで確認したい場合は、同様に端末上の操作によって電子メール受信登録のリストに識別番号を入力して、仮想データベースＶＤＢを記憶し直すことで行われる。
【００７６】
一方、端末使用者及び情報供給者は、例えば自分の電話番号やインターネットサイトのアドレスを教えたり広告する際に、自分の識別番号をも教えたり広告すればよい。この識別番号のやりとりが可能であるということは、すなわち、情報データベース３Ａに登録済みで、かつ仮想データベースＶＤＢを開設している端末使用者及び情報供給者であるから、いま知った他の識別番号を自分の仮想データベースＶＤＢに追加することで、以降、相互の情報の送受が極めて効率よく行われることとなり、自分の仮想データベースＶＤＢが充実すると共に情報データベース３Ａも充実し、本発明における格別な作用効果を得ることができるのである。
【００７７】
また、自分の情報に関する変更や更新は、上記したように、仮想データベースＶＤＢにおける自分のレコードについて、情報に接続する操作とは別の操作によって（このときは情報供給者となる）、情報データベース３Ａ上のレコードを変更又は更新する。
【００７８】
さて、携帯電話Ａの使用者は、仮想データベースＶＤＢ１を使用するときは、端末使用者であるが、自分の仮想データベースＶＤＢ１のレコードの増減や自分の携帯電話Ａの電話番号を変更したりするときには、情報供給者として、インターネットサイトの運営者と同等の立場となる。
【００７９】
つまり、例えば携帯電話Ａの使用者が携帯電話を買い換えたとき（この買い換えた携帯電話を説明上再度「携帯電話Ａ」と記す）、この携帯電話Ａについて電話番号が変更されるが、このときの処理手順について図３を参照して説明する。
【００８０】
携帯電話Ａの使用者は、まず、自分の仮想データベースＶＤＢ１を読み出す際に、ＩＤとパスワードの入力を促す画面が表示され、仮想データベースＶＤＢ１を開設するときに予め設定した所定のＩＤとパスワードとを入力して送信すると（＃１）、照合されて（＃２）、照合結果が正しければ（＃２でＯＫ）、自分の仮想データベースＶＤＢ１を一旦携帯電話Ａに読み出しで、携帯電話Ａにおいて自分の識別番号のレコードを変更する操作モードにて、買い換えた携帯電話Ａの電話番号を変更して（＃３）、サーバー３へ仮想データベースＶＤＢ１を送信する（＃４）。
【００８１】
このように、携帯電話Ａの使用者は、自分の携帯電話の電話番号について自分の仮想データベースＶＤＢ１を変更したので、端末使用者でありながら、いまこのときのみ、情報供給者の立場となる。
【００８２】
一方、サーバー３では、仮想データベースＶＤＢ１が再度記憶され、サーバー３の情報データベース３Ａに、仮想データベースＶＤＢ１で選択されたレコードが戻されると（＃５でＹＥＳ）、情報データベース３Ａに登録されているレコードと戻されたレコードとを比較して、レコードの変更があったときに（＃６でＹＥＳ）、情報データベース３Ａから該当するレコードを抽出し（＃７）、当該レコードにおいて携帯電話Ａの電話番号を変更すると共に当該レコードに電話番号の変更があったこととその日時を付記して（＃８）、情報データベース３Ａに当該レコードを登録し（＃９）、処理を終了する。
【００８３】
なお、＃６で、レコードの変更がない場合は（＃６でＮＯ）、そのまま、レコードを情報データベース３Ａに戻して処理を終了する。
【００８４】
図３において、携帯電話Ｂの使用者は、携帯電話Ａに電話をかけようとしたとき、例えば携帯電話Ｂ自身の電話番号のメモリに携帯電話Ａの電話番号が登録されていたり、紙に書いてあったりした場合は、買い換える前の電話番号にかけることとなり、携帯電話Ａに繋がることはない。
【００８５】
さて、いま、携帯電話Ｂの使用者は、サーバー３に仮想データベースＶＤＢ２を記憶しているので買い換えた携帯電話Ａに電話をかけることができる。すなわち、携帯電話Ｂの使用者は、仮想データベースＶＤＢ２を読み出す際、ＩＤとパスワードを入力する画面が表示され（＃１０）、照合結果が正しければ（＃１１でＯＫ）、仮想データベースＶＤＢ２を携帯電話Ｂに読み出す（＃１２）。
【００８６】
ここで、本実施例では、仮想データベースＶＤＢ２には携帯電話Ａのレコードの識別番号が登録されているから、仮想データベースＶＤＢ２を携帯電話Ｂに読み出すときには、サーバー３が、仮想データベースＶＤＢ２に登録されている携帯電話Ａのレコードの識別番号に基づいて、情報データベース３Ａから当該識別番号のレコードを抽出して出力する。もちろん仮想データベースＶＤＢ２に登録されているその他のレコードも共に抽出され、出力される。
【００８７】
携帯電話Ｂに読み出された仮想データベースＶＤＢ２では、携帯電話Ａの電話番号の変更があったことを知らせるために、携帯電話Ａについてのレコードが、他のレコードの表示とは異なって表示されると共に変更日時と変更の概要が表示され（＃１３）、例えば携帯電話Ｂの使用者は、携帯電話Ａの電話番号が変更されたことを知り、そして、当該表示された識別番号の部分を操作することで、新しく買い換えて電話番号が変更された携帯電話Ａに電話を正しくかけることができる（＃１４）。
【００８８】
このように、上記実施例では、自分の携帯電話Ａの電話番号が変更されたときに、携帯電話Ａの使用者は、仮想データベースＶＤＢ１において自分のレコード中の携帯電話Ａの電話番号を変更することで、サーバー３が、情報データベース３Ａの当該レコードを変更し、他の端末で他の仮想データベースＶＤＢを読み出したときには、情報データベース３Ａから変更後の当該レコードを抽出して出力するので、例えば携帯電話Ｂの使用者は、携帯電話Ａの電話番号を自分の携帯電話Ｂで登録し直す必要がない。
【００８９】
一方、電話番号を変更した側においては、携帯電話Ａの使用者が、電話番号が変更されたことを携帯電話Ｂの使用者に対して逐一連絡する手間が省け、また、携帯電話Ａの使用者は、仮想データベースＶＤＢ１を有することによって、例えば携帯電話Ｃを借りて自分のよくかける電話番号に電話しようとする際には自分の仮想データベースＶＤＢ１を読み出すことで、かけようとする電話番号を覚えていなくても、また携帯電話Ｃのメモリに登録されていなくても電話することが可能となる。
【００９０】
上記の説明では、携帯電話の電話番号が変更された場合を例示したが、携帯電話によってインターネットサイトに接続する場合は、以下のようになる。すなわち、上記で情報供給者として電話番号を変更した携帯電話Ａの使用者を、今回はインターネットサイトの運営者として説明すると、インターネットサイトの運営者は、上記した＃１〜＃４において、仮想データベースＶＤＢ１を、所有者であることを照合した後に、例えばパーソナルコンピュータに仮想データベースＶＤＢ１を読み出して、自分のインターネットサイトのレコードにおいてアドレスを変更して、再度サーバー３へ仮想データベースＶＤＢ１を送信する。
【００９１】
サーバー３では、上記した＃５〜＃９において、情報データベース３Ａに登録されているレコードと戻されたレコードとを比較して、レコードの変更があるときに、情報データベース３Ａから該当するレコードを抽出し、当該レコードにおいてインターネットサイトのアドレスを変更すると共に当該レコードにアドレスの変更があったこととその日時を付記して、情報データベース３Ａに当該レコードを登録し、処理を終了する。
【００９２】
インターネットサイトに接続する側では、＃１０〜＃１４において、自分の仮想データベースＶＤＢを読み出す際に、所有者であることを照合して、仮想データベースＶＤＢを表示させると、当該インターネットサイトのレコードが他のレコードとは異なっていることでインターネットサイトのアドレスの変更があったことを知る。そして、このインターネットサイトのアドレス変更があったインターネットサイトの名称を選択して接続の操作を行えばよい。
【００９３】
このように、インターネットサイトの場合でも上記同様に、インターネットサイトのアドレス変更を知ることができ、かつ端末使用者が、インターネットサイトのアドレスを逐一変更する手間が省ける。そして、インターネットサイトの運営者は、その広告効果を損なうことがないと共に、インターネットサイトのアドレス変更の告知文書や広告を作成する手間が省ける。
【００９４】
続いて、例えばサーバー３に記憶されたインターネットサイトの内容が更新されたときの処理手順について図４を参照して説明する。以下、情報供給者をインターネットサイトの運営者とし、また、端末使用者を携帯電話Ｂ及びＣの使用者として、インターネットサイトの内容が更新されたときに、携帯電話Ｂにはその旨電子メールにて知らせるようにした態様について説明する。
【００９５】
インターネットサイトの運営者は、まず、サーバー３に記憶された自分のインターネットサイトにおいて変更用の接続を行うと、ここで、ＩＤとパスワードの入力を促す画面が表示され、インターネットサイトをサーバー３に記憶するときに予め設定した所定のＩＤとパスワードとを入力して送信すると（＃２１）、照合されて（＃２２）、照合結果が正しければ（＃２２でＯＫ）、自分の識別番号に相当するインターネットサイトを一旦、該当する識別番号のレコードと共に例えばパーソナルコンピュータに読み出して、インターネットサイトの内容を更新する（＃２３）。
【００９６】
その後、インターネットサイトの内容の更新について、当該インターネットサイトのレコードを仮想データベースＶＤＢに登録させている端末使用者がその旨電子メール送信にて知らせて欲しいとの要求があった場合に、更新したこととその更新内容を付加して電子メール送信するか否かの設定を行う（＃２４）。いま、ここでは電子メール送信する設定として説明を続ける（＃２４でＹＥＳ）。
【００９７】
そして、電子メール送信する設定としたときは、電子メールにどのような内容を記事として記して送信するか等を設定しておけば（＃２５）、仮想データベースＶＤＢにおいて内容／条件の項目に反映される。その後、これらの設定を再度サーバー３へ送信し記憶させておく（＃２６）。なお、＃２４で電子メール送信をしない場合は（＃２４でＮＯ）、更新した情報と識別番号のレコードとを再度サーバー３へ送信し記憶させておく（＃２６）。
【００９８】
一方、サーバー３では、レコードが戻されたときに（＃２７でＹＥＳ）、情報データベース３Ａのレコードと戻されたレコードとを比較して（＃２８）、レコードの変更があるときに（＃２８でＹＥＳ）、情報データベース３Ａから該当するレコードを抽出し（＃２９）、この更新の連絡を電子メールで受信することを希望している端末使用者のレコードが有るか否かを判断する（＃３０）。
【００９９】
電子メール受信を希望する設定とされていた場合は（＃３０でＹＥＳ）、インターネットサイトの内容が更新されたこと及びその更新内容を、例えば定型的なフォームで編集して、電子メール受信を希望する設定とされた仮想データベースＶＤＢの所有者の（本実施例では）携帯電話Ｂへ向けて電子メールを送信し（＃３１）、処理を終了する。
【０１００】
なお、電子メールは、いわゆるハイパーテキストによって記述し、情報の内容や告知内容に加えて返信又は応答の操作用の例えばボタン（あるいはマクロやスクリプト）でなる返信用の電子メールを添付（埋め込み）させるようにすれば、こうした情報データベースのレコード中に更新があった旨を知らせる電子メールを受け取った端末使用者は、その電子メールに添付された返信又は応答用の操作入力フォームによって、すぐさま返信したり応答したりすることができ、従って返信や応答メールを端末送信者が作成する手間も時間も省くことができる。
【０１０１】
また、電子メールの受信を希望する設定とは別に、＃３０では、＃３０でＹＥＳのときと平行して、該当するレコードの表示を他のレコードと異ならせると共に更新日時や更新概要を当該レコードに付記して（＃３２）、当該レコードを情報データベース３Ａに登録し（＃３３）、処理を終了する。
【０１０２】
そして、例えば携帯電話Ｂの使用者は、予め、仮想データベースＶＤＢ２において、特定のインターネットサイトについて内容が更新されたときには、その旨電子メールを受信したいとの設定を行うため、＃３４〜＃３６において、照合したうえで、仮想データベースＶＤＢ２を読み出し、電子メールの受信を希望するリストに当該インターネットサイトの識別番号を追加して仮想データベースＶＤＢ２をサーバー３に送信しておく。
【０１０３】
そして、上記した＃３１でサーバー３からインターネットサイトが更新された旨の電子メール送信が行われると、携帯電話Ｂでは、その電子メールを受信し（＃３７）、その電子メール内容からより詳細な情報を得たるため当該インターネットサイトに接続し（＃３８）、処理を終了する。
【０１０４】
また、その電子メールにおいて、例えば「定員あと３人（４／３０まで）」などといったように期間や条件が付加され、かつ返信又は応答用の操作入力フォームが添付されているときは、すぐさま、受信した電子メールに添付された操作入力フォームを操作してインターネットサイトの運営者へ連絡することもできる。
【０１０５】
また、例えば携帯電話Ｃの使用者は、当該インターネットサイトについて内容が更新されてときに、電子メールを受信しないと設定している。従って、＃３９〜＃４０において、所望のときに、サーバー３から、照合したうえで、仮想データベースＶＤＢ３を読み出し（＃４１）、仮想データベースＶＤＢ３で当該インターネットサイトのレコードが他のレコードの表示と異なっているのを見て（＃４２）、内容の更新があったことを知り、必要な情報と判断したときには、仮想データベースＶＤＢ３における、当該表示された識別番号の部分を操作することで、当該インターネットサイトに接続し（＃４３）、処理を終了する。
【０１０６】
例えば、図２において、携帯電話Ａの仮想データベースＶＤＢ１では、インターネットサイトアドレスのリストにおいて、識別番号Ｓ０００４のレコードに変更又は更新のあったことが示されている。識別番号Ｓ０００４は、更新日時が、Ｈ１２／０４／２３とあり、内容／条件の項目には、１週間限りと表示されている。
【０１０７】
つまり、仮想データベースＶＤＢ１に登録している識別番号Ｓ０００４のショップは平成１２年４月２３日から１週間限り何らかのイベントを行うという内容でインターネットサイトを更新したことが分かる。
【０１０８】
また、例えば、図２の設定内容によれば、携帯電話Ａの仮想データベースＶＤＢ１には、メール受信登録のリストにおける識別番号Ｓ０００５が登録されているので、識別番号Ｓ０００５の情報供給者から電子メールが到着しているはずである。なお、電子メールには詳細な情報が記されているから、ここでの説明は省略する。
【０１０９】
さて、受信した電子メールの内容は、図２に示す携帯電話Ａの仮想データベースＶＤＢ１でも概要を知ることができる。すなわち、識別番号Ｓ０００５のレコードには、当該スクールが、インターネットサイトをＨ１２／０４／０１に更新し、何らかの定員が５人とされていることから、変更又は更新のあったことと募集をあと５人で〆切ることとが分かる。
【０１１０】
このときに、受信した電子メールに応答又は送信用のメールが添付されていれば、電子メールによって個人スクールの開催に際し、人数を募集していることが分かり、定員５人という少数の募集に対してすぐさま応答して申し込みを行うことができ、情報供給者におけるメリットは大きく、また、端末使用者においても得する情報を逃すことがないというメリットがある。
【０１１１】
このように、本実施例では、インターネットサイトの運営者は、自分のインターネットサイトの内容を更新したことを、確実に仮想データベースＶＤＢの所有者に報告することができるので広告効果が非常に高くなる。
【０１１２】
一方、端末使用者では、逐一インターネットサイトに接続することなく、内容の更新があったときには電子メール受信の設定がなされているときには即座に、また、電子メール受信の設定がなされていなくても、更新のあったことを確実に知ることができる。
【０１１３】
なお、本発明は、上記実施例では、詳細に説明しなかったが、例えばパーソナルコンピュータに、仮想データベースＶＤＢを読み出し、この読み出した仮想データベースＶＤＢのレコードを、パーソナルコンピュータで稼働する例えば年賀状作成アプリケーションに反映させることで、容易に仮想データベースに登録した友人知人に年賀状を送ることができる。
【０１１４】
つまり、通常の年賀状アプリケーションで使用するデータベースも、住所が変わったり、結婚したりして変動要素が生じ、その都度変更を要するが、読み出した仮想データベースＶＤＢは、常に最新の状態であるから、そのような変更作業は不要となり、より容易に年賀状を作成したりすることが可能となる。
【０１１５】
以上が、構成に基づく基本的な動作状況であり、次に具体的な効果について説明する。
（１）端末使用者が、仮想データベースＶＤＢを電話帳として使用することで、人の携帯電話あるいはパーソナルコンピュータであっても、自分の仮想データベースＶＤＢを参照して電話をかけたり電話番号を知ることができる。
（２）端末使用者が、仮想データベースＶＤＢをインターネットサイトのアドレス帳（いわゆるブックマーク）として使用することで、人の携帯電話あるいはパーソナルコンピュータであっても、自分の仮想データベースＶＤＢに基づいてインターネットサイトに接続することができる。
【０１１６】
（３）情報供給者が、電話番号やインターネットサイトのアドレスを変更した場合は、自分の仮想データベースＶＤＢやインターネットサイトを読み出して変更することで情報データベースの当該レコードが変更される（そのときに、その旨表示されたり電子メールを送信したりする）ので、端末使用者に逐一変更の報告をする手間が省ける。
（４）端末使用者は、自分の仮想データベースＶＤＢにおいて情報供給者が行った電話番号やインターネットサイトのアドレスの変更をする手間が省ける。
【０１１７】
（５）変更又は更新日時や、条件その他概要を表示させて他のレコードと異ならせて知らせたり、電子メールにて知らせるようにすることで、電話番号やインターネットサイトが変更されたときには、端末使用者は、その旨知ることができ、かつインターネットサイトの内容が更新されたときに、その情報を確実かつ詳細に知ることができ、情報供給者はその広告効果が極めて高い。
（６）電子メールに、返信又は応答用のメールを添付することで、急を要する返信又は応答などにすぐさま連絡することが可能となり、情報供給者は広告における高い反応が期待でき、端末使用者は瞬時の情報も逃すことが少なくなる。
（７）仮想データベースＶＤＢの所有者を照合することで、個人情報が漏洩することが防止できる。
（８）仮想データベースＶＤＢのレコードを端末で稼働するアプリケーションのデータとして流用することで、データを入力し直したり、変更又は更新したりする手間が省ける。
【０１１８】
なお、本発明は、上記した実施例に限定されず、その趣旨を逸脱しない限り、種々の変形が可能であり、また、そのように変形した場合にあっても、上記した作用効果を得ることができる。
【０１１９】
【発明の効果】
以上のように、本発明の仮想データベースシステムは、端末使用者によって他の識別番号と共に自己の識別番号に応じたレコードを登録した自己の仮想データベースが読み出し、該仮想データベースに集成された自己の識別番号のレコードについて情報供給者が端末において変更し、サーバーがこの変更を確認して自己の識別番号に応じたレコードの内容を変更するので、情報供給者が所在地符号を変更したり、内容を更新したときには、端末使用者は、仮想データベースを読み出すだけで、こうした変更や更新作業を行うことなく、最新の状態で情報を出力することができ、また、端末使用者は、仮想データベースを読み出すことで、自分のよく使用する端末以外の端末を使用する場合であっても、自分のよく使用する端末と同様に使用することができる。
【０１２０】
また、本発明の仮想データベースシステムは、上記構成において、サーバーを、情報データベースのレコード中に変更や更新があった日時や、具体的な数量の条件を登録し、端末使用者により仮想データベースが読み出されたときに、情報と共に日時や条件を抽出して出力するようにしたので、端末使用者は、仮想データベースを読み出したときに、自分の登録している仮想データベース中のレコードにおいて、情報データベースのレコード中に変更や更新があったこと、及び変更や更新の内容の条件、を確実に把握することができ、従って、例えば急いで応答しなければならない情報や、連絡しておいた方がよい友人知人など、を選択することが可能となる。
【０１２１】
また、本発明仮想データベースシステムは、上記したいずれかの構成において、サーバーを、情報データベースのレコード中に変更や更新があったことを、仮想データベース中に抽出され出力された他のレコードと表示を異ならせて表示させたり、電子メールにて知らせるようにしたので、仮想データベース中の他のレコードと表示を異ならせて表示するときは、端末使用者が仮想データベースを読み出したときに、確実にその旨知らせることができ、電子メールにて知らせるときには、上記作用効果に加えて変更や更新の内容や情報そのものを付加して端末使用者に知らせることができ、より的確に端末使用者に情報を知らせることができる。
【０１２２】
また、本発明の仮想データベースシステムは、情報データベースのレコード中に変更や更新があったことを、電子メールにて知らせるときにおいて、その電子メールに、予め返信又は応答用の操作入力フォームが添付されているので、情報データベースのレコード中に変更や更新があった旨を知らせる電子メールを受け取った端末使用者は、電子メールに添付された返信又は応答用の操作入力フォームによって、すぐさま返信したり応答したりすることができるので、返信や応答メールを端末送信者が作成する手間も時間も省くことができる。
【０１２３】
また、本発明の仮想データベースシステムは、上記したいずれかの構成において、サーバーを、端末使用者が該サーバーに記憶した仮想データベースの所有者であることを識別符号によって照合するようにしたので、所有者以外の第三者に自分の仮想データベースが利用されることがなく、個人的な情報等が漏洩することがなくなる。
【０１２４】
また、本発明の仮想データベースシステムは、上記したいずれかの構成において、端末を、必要に応じて読み出した仮想データベースを、該端末にて稼働するプログラムによって利用することができるようにしたので、例えば端末としてパーソナルコンピュータで、仮想データベースに登録した友人知人に年賀状を送るときは、仮想データベースを読み出して、該仮想データベースのレコードの名前や住所を年賀状作成アプリケーションに反映させることができる。
【図面の簡単な説明】
【図１】本発明の仮想データベースシステムの概略構成を示す図である。
【図２】本発明の仮想データベースシステムにおける仮想データベース及び情報データベースの概念を説明するための図である。
【図３】本発明の仮想データベースシステムにおける所在地符号変更処理手順を示す図である。
【図４】本発明の仮想データベースシステムにおける情報の内容更新手順を示す図である。
【符号の説明】
２      インターネット
３      サーバー
３Ａ    情報データベース
ＶＤＢ  仮想データベース
【図１】
0003616825.tif 000002
【図２】
0003616825.tif 000003
【図３】
0003616825.tif 000004
【図４】
0003616825.tif 000005